(57)【特許請求の範囲】
【請求項１】
奥行き０．５３λ（λは使用周波数の逆数）、幅０．５３λの正方形地板に高さ０．２λのモノポールアンテナ素子を電気機械的に固定接続し、モノポールアンテナ素子から０．２７λ離れた地板の奥行き方向の端部にこれに沿ってモノポールアンテナ素子と平行に高さ０．２７λ、幅０．５３λの導体反射板を形成し、モノポールアンテナ素子から導体反射板の方向に０．０３λ離れて高さ０．１７λの無給電素子をモノポールアンテナ素子と平行に形成した導体反射板付きモノポールアンテナにおいて、
導体反射板の上端部にこれに沿って当該反射板と直交して前方方向に延長した奥行き方向導体板を形成し、
奥行き方向導体板の奥行き方向の長さは導体反射板とモノポールアンテナ素子の間の距離より短く０．０８λより長く設定したことを特徴とする導体反射板付きモノポールアンテナ。
【請求項２】
請求項１に記載される導体反射板付きモノポールアンテナにおいて、
地板の導体反射板が設置される端部と対向する端部に、これに沿いかつ地板と直交して高さをモノポールアンテナ素子の高さ以下０．０３λ以上に設定した垂直方向導体板を形成したことを特徴とする導体反射板付きモノポールアンテナ。
【発明の詳細な説明】
【０００１】
【発明の属する技術分野】
この発明は、導体反射板付きモノポールアンテナに関し、特に、地板上にモノポールアンテナ素子を設置し、地板の端部にモノポールアンテナ素子と平行に反射板を設置した導体反射板付きモノポールアンテナに関する。
【０００２】
【従来の技術】
従来例を図１を参照して説明する。
図１において、１は奥行きａ1、幅ｂの地板である。２は地板１の表面からの高さがｈ1のモノポールアンテナ素子であり、地板１に電気的機械的に固定接続されている。このモノポールアンテナ素子２は、地板１の裏面側の給電点３において給電される。４は地板１の表面からの高さがｈ2のインピーダンス整合用の無給電素子であり、モノポールアンテナ素子２からＬ1離れたところに機械的に固定されている。５は地板１の表面からの高さがｈ3の導体反射板であり、モノポールアンテナ素子２からＬ2だけ離れたところで、地板１の奥行き方向の一方の端部においてモノポールアンテナ素子２に平行に屈曲形成されている。
【０００３】
この導体反射板５付きのモノポールアンテナ素子２において、導体反射板５はモノポールアンテナ素子２の背面方向への放射を抑制する作用をし、正面方向の利得に対する背面方向の利得の比：ＦＢ比の向上をもたらしている。そして、この導体反射板付きモノポールアンテナは天井の窓際付近に取り付けることを前提としており、電波を斜め下方に向けて放射することにより、より良い品質でサービスを提供することができる。ただし、本アンテナは天地逆、すなわち地板を上にして設置するため、斜め上方に向けて放射すればよい。
導体反射板付きモノポールアンテナの従来例において、ａ1＝ｂ＝０.５３λ、ｈ1＝０.２λ、ｈ2＝０.１７λ、ｈ3＝０.２７λ、Ｌ1＝０.０３λ、Ｌ2＝０.２７λとした場合の水平面内の指向性は図２に示される如くになり、垂直面内の指向性は図３に示される如くになる。図２の水平面内指向性においては、９０゜は正面方向、２７０゜は背面方向を示す。図３の垂直面内指向性においては、０゜は上方向を、１８０゜は下方向を示す。ＦＢ比は５ｄＢ程度である。
【０００４】
【発明が解決しようとする課題】
不感地対策用のアンテナは、ＦＢ比を大きくして屋外からの干渉波を阻止する必要がある。この観点から、図１の導体反射板付きモノポールアンテナの従来例は、図２および図３の指向性からも観察される通り、ＦＢ比が未だ充分であるとは言い難い。
この発明は、ＦＢ比を大きくすることにより、室内における自動車電話、携帯電話その他の移動電話のサービスに対する屋外からの干渉波の影響を軽減して、良好な品質のサービスをすることができる上述の問題を解消した導体反射板付きモノポールアンテナを提供するものである。
【０００５】
【課題を解決するための手段】
この発明は、導体反射板付きモノポールアンテナにおいて、導体反射板の上端部に当該反射板と直交して地板に平行に奥行き方向導体板を屈曲、形成する。更に、地板の導体反射板が形成される奥行き方向の一方の端部に対向する他方の端部に地板と直交して垂直方向導体板を屈曲形成する。これにより、導体反射板付きモノポールアンテナのＦＢ比を大きくした。
【０００６】
【発明の実施の形態】
この発明は、室内における自動車電話、携帯電話その他の移動電話の不感地対策用として天井の如き室内の上方に取り付けられる、背面方向の不要な電波を抑制する対移動局用アンテナとして使用されるアンテナである。
【０００７】
【実施例】
この発明の実施の形態を図４の実施例１を参照して説明する。実施例１において、従来例と共通する部材には共通する参照符号を付与している。
図４において、奥行きａ1、幅ｂの地板１の表面からの高さがｈ1のモノポールアンテナ素子２は、地板１に電気的機械的に固定接続されている。このモノポールアンテナ素子２は、地板１の裏面側の給電点３において給電される。地板１にはその表面からの高さがｈ2 のインピーダンス整合用の無給電素子４が、モノポールアンテナ素子２からＬ1 離れたところに機械的に固定されている。地板１の表面からの高さがｈ3の導体反射板５は、モノポールアンテナ素子２からＬ2だけ離れたところで、地板１の奥行き方向の一方の端部においてモノポールアンテナ素子２に平行に屈曲形成されている。
【０００８】
以上の導体反射板付きモノポールアンテナにおいて、導体反射板５の上端部に当該反射板と直交して地板１に平行に奥行き方向寸法ａ2 の奥行き方向導体板６を屈曲形成する。このモノポールアンテナは、導体反射板５の上端部に屈曲形成した奥行き方向導体板６が背面への電波の放射を抑制する作用をし、これがＦＢ比の向上につながっている。
図４の具体例として、ａ1 ＝ｂ＝０.５３λ、ｈ1＝０.２λ、ｈ2＝０.１７λ、ｈ3＝０.２７λ、Ｌ1＝０.０３λ、Ｌ2 ＝０.２７λ、ａ2 ＝０.１７λの導体反射板付きモノポールアンテナを構成する。このモノポールアンテナの水平面内の指向性は図５に示される如くになり、垂直面内の指向性は図６に示される如くになる。図５の水平面内指向性においては、９０゜は正面方向、２７０゜は背面方向を示す。図６の垂直面内指向性においては、０゜は上方向を、１８０゜は下方向を示す。ＦＢ比は１５ｄＢ程度であり、従来例の５ｄＢ程度と比較して改善されている。図７は奥行き方向寸法ａ2 とＦＢ比の関係を示す図である。奥行き方向導体板６の適用範囲は、ａ2≦Ｌ2となるが、ａ2 :０.１７λの場合に最も良い特性を示す。
【０００９】
図８を参照して実施例２を説明する。図８の実施例２は、図４の実施例１において、更に、地板１の導体反射板５が形成される奥行き方向の一方の端部に対向する他方の端部に、地板１と直交して高さｈ4 の垂直方向導体板７を屈曲形成する。
図８の導体反射板付きモノポールアンテナの具体例として、ａ1＝ｂ＝０.５３λ、ｈ1＝０.２λ、ｈ2＝０.１７λ、ｈ3＝０.２７λ、Ｌ1＝０.０３λ、Ｌ2 ＝０.２７λ、ａ2＝０.１７λ、ｈ4＝０.０７λの導体反射板付きモノポールアンテナを構成する。
【００１０】
実施例２の具体例の水平面内指向性は図９に示される如くになり、垂直面内指向性は図１０に示される如くになる。実施例１のモノポールアンテナは垂直面内指向性における背面方向のレベルの落ち込みが最も低くなる点は真後ろの方向よりやや上であった。これに対して、実施例２のモノポールアンテナは、地板１の導体反射板５が形成される奥行き方向の一方の端部に対向する他方の端部に地板１と直交して高さｈ4 の垂直方向導体板７の影響により、レベルの最も低い点が真後ろ方向に近づいたことで、水平面内のＦＢ比が実施例１と比較して更に改善される。
【００１１】
以上の実施例１と比較して、更に、ＦＢ比が改善される実施例２の垂直方向導体板７の高さｈ4の範囲はｈ4≦ｈ1である。ここで、図１１はｈ4とＦＢ比の関係を示す図であり、これを参照するに、ｈ4＝０.１λの近傍の値においてＦＢ比は２５ｄＢ程度を示し、実施例１の１５ｄＢ程度と比較して大きく改善される。
なお、図２、図３、図５、図６、図９、および図１０の放射ビームパターン、図７および図１１のデータは、電磁界分布を数値計算するソフトウェアを使用して、アンテナの種類、アンテナの長さ、励振源の励振周波数、反射器の形状、反射器の寸法、給電点、アンテナと反射器との間の位置関係その他の条件を入力して電子計算機により演算処理して求めることができる。
【００１２】
【発明の効果】
以上の通りであって、この発明によれば、導体反射板付きモノポールアンテナの反射板上部および地板前方に導体板を設置することにより、従来よりもＦＢ比の向上が可能となる。
【図面の簡単な説明】
【図１】従来例を説明する斜視図。
【図２】従来例の水平面内指向性を示す図。
【図３】従来例の垂直面内指向性を示す図。
【図４】実施例１を説明する斜視図。
【図５】実施例１の水平面内指向性を示す図。
【図６】実施例１の垂直面内指向性を示す図。
【図７】実施例１におけるａ2とＦＢ比の関係を示すグラフ。
【図８】実施例２を説明する斜視図。
【図９】実施例２の水平面内指向性を示す図。
【図１０】実施例２の垂直面内指向性を示す図。
【図１１】実施例２におけるｈ4とＦＢ比の関係を示すグラフ。
【符号の説明】
１  地板                  ２  モノポールアンテナ素子
３  給電点                ４  無給電素子
５  導体反射板            ６  奥行き方向導体板
７  垂直方向導体板
【図１】
0003793110.tif 000002
【図２】
0003793110.tif 000003
【図３】
0003793110.tif 000004
【図４】
0003793110.tif 000005
【図５】
0003793110.tif 000006
【図６】
0003793110.tif 000007
【図７】
0003793110.tif 000008
【図８】
0003793110.tif 000009
【図９】
0003793110.tif 000010
【図１０】
0003793110.tif 000011
【図１１】
0003793110.tif 000012